(57)【要約】【課題】袋などの被支持物を簡単かつ確実に挟持したり挟持解除できるようにして使い勝手を向上する。【解決手段】設置状態で被支持物８を挟み込む挟持用ホルダー６において、軸部１５と軸部上端に設けられた一方挟持部１０、並びに軸部周囲に設けられた先端側の第１係合部１８及び第１係合部より上側の第２係合部１９を有している雄部材１と、他方挟持部２０を形成し、他方挟持部に設けられた軸部挿通用孔部２２、及び他方挟持部の下面側に突出されて軸部が孔部２２を通って挿入可能な中空部を区画して、軸部に押されて外側へ向かって弾性変形することで設置部の取付孔７ａに係合する係止片部２６、並びに該係止片部と共に前記中空部を区画して、第１係合部１８と係合して軸部を抜け止め可能にし、その状態から軸部の更なる挿入により第２係合部１９と係合して被支持物を挟持部間に挟持した状態に保つ係合片部２７を有している雌部材２とからなる。【選択図】図１
2014119046.tif 000002
【特許請求の範囲】
【請求項１】
設置部に取り付けられた状態で袋などの被支持物を両挟持部の間に着脱可能に挟み込む挟持用ホルダーにおいて、
軸部と前記軸部上端に設けられた前記両挟持部のうち一方挟持部、並びに前記軸部周囲に設けられた先端側の第１係合部及びその第１係合部より上側の第２係合部を有している雄部材と、
前記両挟持部のうち他方挟持部を形成し、該他方挟持部に設けられて前記軸部を挿通する孔部、及び前記他方挟持部の下面側に突出されて前記軸部が前記孔部を通って挿入可能な中空部を区画して、前記軸部に押されて外側へ向かって弾性変形することで前記設置部に設けられた取付孔に係合する複数の係止片部、並びに前記係止片部と共に前記中空部を区画して、前記第１係合部と係合して前記軸部を抜け止め可能にし、かつその状態から前記軸部の更なる挿入により前記第２係合部と係合して前記被支持物を前記挟持部間に挟持した状態に維持可能にする複数の係合片部を有している雌部材とからなることを特徴とする挟持用ホルダー。
【請求項２】
前記雌部材は、前記係止片部と前記係合片部とを互い違いに配置していることを特徴とする請求項１に記載の挟持用ホルダーにおいて、
【請求項３】
前記雌部材に設けられたカム面と、前記雄部材に設けられて前記カム面に沿って摺動可能な突起とからなり、前記雄部材が前記係合片部と第２係合部との係合状態から一方向に回転されると、前記突起が前記カム面を摺動しながら前記雄部材を上昇移動する挟持解除手段を有していることを特徴とする請求項１又は２に記載の挟持用ホルダー。
【請求項４】
前記挟持部同士の対向面にそれぞれ設けられて互いに嵌合可能な歯形状ないしは凹凸部を有していることを特徴とする請求項１から３の何れかに記載の挟持用ホルダー。
【請求項５】
前記雄部材１の一方挟持部に設けられた回転操作部を有していることを特徴とする請求項１から４の何れかに記載の挟持用ホルダー。
【請求項６】
前記雌部材の他方挟持部に設けられて、前記雄部材の回転方向を一方向に規制する回転方向規制手段、及び前記雄部材の回転を所定の角度に規制する回転角度規制手段を有していることを特徴とする請求項１から５の何れかに記載の挟持用ホルダー。
【発明の詳細な説明】
【技術分野】
【０００１】
本発明は、設置状態で袋などの被支持物を簡単かつ確実に挟持して支持できるようにした挟持用ホルダーに関する。
【背景技術】
【０００２】
挟持用ホルダーは、例えば、被支持物が紙、布、袋などのごとく吊り下げや引っ掛け難い場合に用いられて、被支持物の一部を挟み込むことで簡単に支持できるようにするときに好適となる。従来品には、特許文献１や２に開示されているごとく、付勢部材を省略した３点構成、つまり一方挟持部を形成している第１部材と、他方挟持部を形成している第２部材と、両挟持部を接近した挟持状態と離れた離間状態とに切り換える操作部材とから構成したものがある。
【先行技術文献】
【特許文献】
【０００３】
【特許文献１】特許第３９４２２３６号公報
【特許文献２】特開平７−３３２３１９号公報
【発明の概要】
【発明が解決しようとする課題】
【０００４】
ところで、挟持用ホルダーとしては、上記従来品は付勢部材を省いて３点構成となっているが、部材数を更に少なくしたり組立性をより簡略化してコスト低減を図りたい。また、従来品は、パネルなどの設置部に取り付ける方式ではないため動き易く操作性を改善し難い。しかも、特許文献１や２の操作部材は、両挟持部の下側にも操作用空間を必要とするため設置部に取り付けるような構成を採用し難い構成となっている。
【０００５】
本発明の目的は、以上のような問題を解消して、部材数を減らして簡易性を実現したり、設置部に取り付けることで操作性を良好にし、しかも操作用空間を設置部側に不要とすることにある。他の目的は以下の内容説明の中で明らかにする。
【課題を解決するための手段】
【０００６】
上記目的を達成するため請求項１の本発明は、図面を参照して特定すると、設置部７に取り付けられた状態で袋などの被支持物８を両挟持部１０，２０の間に着脱可能に挟み込む挟持用ホルダー６であって、軸部１５と前記軸部上端に設けられた前記両挟持部のうち一方挟持部１０、並びに前記軸部周囲に設けられた先端側の第１係合部１８及びその第１係合部より上側の第２係合部１９を有している雄部材１と、前記両挟持部のうち他方挟持部２０を形成し、該他方挟持部に設けられて前記軸部を挿通する孔部２２、及び前記他方挟持部の下面側に突出されて前記軸部が前記孔部を通って挿入可能な中空部を区画して、前記軸部に押されて外側へ向かって弾性変形することで前記設置部に設けられた取付孔７ａに係合する複数の係止片部２６、並びに前記係止片部と共に前記中空部を区画して、前記第１係合部１８と係合して前記軸部を抜け止め可能にし、かつその状態から前記軸部の更なる挿入により前記第２係合部１９と係合して前記被支持物を前記挟持部間に挟持した状態に維持可能にする複数の係合片部２７を有している雌部材２とからなる、ことを特徴としている。
【０００７】
以上の本発明は、請求項２から６のように具体化されることがより好ましい。
（１）前記雌部材２は、前記係止片部２６と前記係合片部２７とを互い違いに配置している構成である（請求項２）。
（２）前記雌部材２に設けられたカム面２３と、前記雄部材１に設けられて前記カム面に沿って摺動可能な突起１４とからなり、前記雄部材１が前記係合片部２７と第２係合部１９との係合状態から一方向に回転されると、前記突起１４が前記カム面２３を摺動しながら前記雄部材を上昇移動する挟持解除手段３を有している構成である（請求項３）。
【０００８】
（３）前記挟持部同士の対向面にそれぞれ設けられて互いに嵌合可能な歯形状ないしは凹凸部１１ａ，１１ｂと２１ａ，２１ｂを有している構成である（請求項４）。
（４）前記雄部材１の一方挟持部に設けられた回転操作部１２を有している構成である（請求項５）。
（５）前記雌部材２の他方挟持部に設けられて、前記雄部材の回転方向を一方向に規制する回転方向規制手段４、及び前記雄部材１の回転を所定の角度に規制する回転角度規制手段５を有している構成である（請求項６）。
【発明の効果】
【０００９】
請求項１の発明は、挟持用ホルダーとして特許文献１や２のものと比較して、まず、雄部材及び雌部材の２点構成であるため、より簡易化して製造及び組立費を低減できる。また、この構造では、パネルなどの設置部に取り付けられるため使用時に動きに難くなって操作性を良好に維持し易くなり、雌部材が設置部の取付孔に係止片部の係合により取り付けられるため設置工数を最小限に抑えることも可能となる。しかも、この構造では、雄部材が雌部材に対して、図７（ａ）のごとく係合片部と第１係合部とが係合して抜け止めされた仮組み付け態様と、図８（ａ）の実線で示したごとく係止片部と第２係合部とが係合して挟持状態を維持する挟持維持態様とに切り換えられるとともに、雌部材に対する雄部材の押入により挟持維持態様となるため操作性を向上できる。
【００１０】
請求項２の発明では、雌部材が係止片部と係合片部とを互い違いに配置しているため、設置部の取付孔に対する係止片部の安定した係合状態と、雄部材の第１係合部と第２係合部に対する係合片部の安定した係合状態とが得られる。
【００１１】
請求項３の発明では、雌部材のカム面と雄部材の突起とで挟持解除手段を構成し、雄部材が係合片部と第２係合部との係合状態つまり上記した挟持維持態様から一方向に回転されると、突起がカム面を摺動しながら雄部材を上昇移動して、雄部材側の挟持部を雌部材側の挟持部から離間する。この挟持解除手段は、雄部材を雌部材に対して回転するため操作用空間に制約され難い点でも優れている。
【００１２】
請求項４の発明では、挟持部同士の対向面にそれぞれ設けられて互いに嵌合可能な歯形状ないしは凹凸部を有しているため、挟持強度及び状態を確実かつ安定に維持できる。これに対し、請求項５の発明では、雄部材が回転操作部を利用して回転操作されるため、操作性を向上できる。
【００１３】
請求項６の発明では、回転方向規制手段により雄部材を決められた一方向にだけ回転されるよう規制したり、回転角度規制手段により雄部材を過剰に回転する虞を防止し、それらにより操作性及び使い勝手を向上できる。
【図面の簡単な説明】
【００１４】
【図１】発明形態のホルダーを分解して示し、（ａ）は下側から見た状態での構成図、（ｂ）は上側から見た状態での構成図である。
【図２】上記ホルダーを異なる態様で示し、（ａ）はパネルへの取付操作を説明する図、（ｂ）は雄部材を雌部材に仮組み付けする操作を説明する図、（ｃ）は被支持物を挟持した状態から挟持を解除する操作を説明する図である。
【図３】（ａ）はホルダーを図２（ｂ）の状態で示す上面図、（ｂ）はホルダーを図２（ｃ）の状態で示す上面図である。
【図４】（ａ）はホルダーを図２（ｂ）の状態で示す側面図、（ｂ）はホルダーを図２（ｃ）の状態で示す側面図である。
【図５】（ａ）は図２（ａ）のＡ−Ａ線拡大断面図、（ｂ）は図２（ｂ）のＡ1−Ａ1線拡大断面図、（ｃ）は図２（ｃ）のＡ2−Ａ2線拡大断面図である。
【図６】（ａ）と（ｂ）は図２（ａ）の状態において、図３（ａ）のＢ−Ｂ線とＣ−Ｃ線を想定して断面した拡大断面図である。
【図７】（ａ）と（ｂ）は図３（ａ）のＢ−Ｂ線とＣ−Ｃ線に沿って断面した拡大断面図である。
【図８】（ａ）と（ｂ）は図３（ｂ）のＢ1−Ｂ1線とＣ1−Ｃ1線に沿って断面した拡大断面図である。
【発明を実施するための形態】
【００１５】
本発明の形態を図面を参照しながら説明する。この説明では、挟持用ホルダーの構造、使い方ないしは作動及び利点の順に詳述する。
【００１６】
（構造）形態例の挟持用ホルダー６は、互いに嵌り合う関係である雄部材１及び雌部材２の２点構成であり、雌部材２がパネル７に取り付けられた状態で袋などの被支持物８を雌部材２の挟持部２０と雄部材１の挟持部１０との間に着脱可能に挟み込む。
【００１７】
雄部材１及び雌部材２は共に樹脂成形体である。まず、雄部材１は、所定長さの軸部１５と、軸部１５の上端に設けられた一方の挟持部１０、並びに軸部１５の周囲に設けられた先端側の第１係合部１８及び第１係合部１８より基端ないしは上側の第２係合部１９を有している。
【００１８】
挟持部１０は、板状ないしは舌状からなり、歯形状ないしは凹凸部１１ａ，１１ｂを下面に形成していると共に、回転操作部１２を上面に形成している。回転操作部１２は、挟持部上面にあって軸部１５の真上に設けられて、先端を挟持部１０の両側面１０ａ，１０ｂのうち、一方側面１０ａから外へ突出している。挟持部下面にあって、凹凸部１１ａ，１１ｂは軸部１５を突出している基端側を除き、略中間部から先端側に設けられている。下面の基端側には、円形の座部１３が一体化されると共に、軸部１５がその座部１３から突設されている。座部１３の下面には、挟持解除手段３を構成している突起１４が各側面１０ａ，１０ｂ側に突設されている。
【００１９】
軸部１５は、図１と図５（ｂ）及び（ｃ）から分かるごとく、中心軸部分の周囲を概略４等分するよう設けられた４つの縦リブ１６と、縦リブ１６同士の間にそれぞれ対向して設けられた２箇所の第１係合部１８及びその上側の第２係合部１９と、第２係合部１９より上側で隣接する縦リブ１６同士の空間に設けられて全体が円鍔状となっている上下２段の補強部１７ａ，１７ｂとを有している。各第１係合部１８は、軸部先端側に位置して突出部の上面を平坦に形成した箇所である。各第２係合部１９は、軸部略中間に位置して突出部の上面を平坦に形成した第１係合部１８より大きい箇所である。
【００２０】
符号１５ａは隣接する縦リブ１６同士で中心軸部分の周囲を４分割したうち、第１係合部１８及び第２係合部１９を欠いた２箇所の周囲部分である。この周囲部分１５ａは、後述する雌部材２の係止片部２６を拡径するための円弧状部であり、上側に行くほど径大となっている。符号１５ｂは隣接する縦リブ１６同士で中心軸部分の周囲を４分割したうち、第１係合部１８及び第２係合部１９を形成している箇所の周囲部分である  この周囲部分１５ｂは、後述する雌部材２の係合片部２７を第１係合部１８から第２係合部１９に移動し易い傾斜となっている。
【００２１】
一方、雌部材２は、他方の挟持部２０を形成し、挟持部２０に設けられて軸部１５を挿通する孔部２２、及び挟持部２０の下面側に突設されて軸部１５が孔部２２を通って挿入可能な中空部を区画している脚部２５を有している。また、脚部２５は、挟持部２０の下面に設けられた矩形の座部２５ａに突設されて、軸部１５に押されて内から外側へ向かって弾性変形することで取付孔７ａに係合する複数（この例では２つ）の係止片部２６、並びに係止片部２６と共に前記中空部を区画して、第１係合部１８と係合して軸部１５を抜け止め可能にし、かつその状態から軸部１５の更なる押入ないしは挿入により第２係合部１９と係合して被支持物８の対応部を挟持部１０，２０同士の間に挟持した状態に維持可能にする複数（この例では２つ）の係合片部２７を有している。
【００２２】
このうち、挟持部２０は、挟持部１０に比べて、長さがほぼ同じで、板幅が少し広くなっていて挟持部１０を受け止め易くなっている。この上面には、幅方向に延びた歯形状ないしは凹凸部２１ａ，２１ｂと、凸部２１同士を一端側で連結している係止リブ２１ｃと、孔部２２の周囲に突出したボス２４とが設けられている。なお、下面には脚部２５と共に先端側にボス２０ａが設けられている。このボス２０ａは、雌部材２をパネル７に配置する際、パネル側に設けられた孔と嵌合することで位置決め可能にする。但し、ボス２０ａは補助用であり省略してもよい。
【００２３】
凹凸部２１ａ，２１ｂは、挟持部１０が挟持部２０に重ねられると、凹凸部１１ａ，１１ｂが嵌合することで間に配置される袋などの被支持部８の対応部を確実かつ強固に挟持可能にする。係止リブ２１ｃは、挟持部１０側の凸部１１ａが当接することにより、雄部材１の回転方向を一方向に規制、この例では図３（ｂ）のごとく時計回りの方向だけに回転されるようにする回転方向規制手段４を構成している。ボス２４は、雄部材１が正規位置から時計回りの方向へ回転されたとき、回転角度を規制する回転角度規制手段５を構成している。すなわち、この回転角度規制手段５は、雄部材１が雌部材２に対して時計回りの方向へ約４５度だけ回転操作されると、雄部材側の挟持部１０の一側部１０ａが雌部材側のボス２４に当たることで更なる回転が不能となる。
【００２４】
孔部２２には、座部１３を回転可能に受け入れる入口側の径大な段差２２ａと、突起１４を誘導ガイドするカム面２３とが設けられている。カム面２３は、段差２２ａより一段深くなった平らな逃げ面２３ａ、及び逃げ面２３ａと段差２２ａの上面とを接続している傾斜面２３ｂからなり、段差２２ａの１８０度変位した２箇所に設けられている。すなわち、突起１４及びカム面２３は、雄部材１が係合片部２７と第２係合部１９との係合状態（挟持部１０，２０同士が重なった挟持状態となっている）から一方向に回転されると、突起１４がカム面２３を摺動しながら雄部材１を逃げ面２３ａと段差２２ａとの高さの差寸法だけ上昇移動し、挟持部１０を挟持部２０から離間する挟持解除手段３を構成している。
【００２５】
係止片部２６及び係合片部２７は、それぞれ先端に内側へ屈曲した爪２６ａ又は爪２７ａを有している。また、係止片部２６及び係合片部２７は、図５に示されるごとくそれぞれ２以上を互い違いに配置している。この例では、２つの係止片部２６と２つの係合片部２７とが共に対向配置している。各係止片部２６の爪２６ａ同士の間の距離ｎは、各係合片部２７の爪２７ａ同士の間の距離ｍよりも小さく設定されている（図６も参照）。これは、係止片部２６と係合片部２７の役割が相違しているためである。つまり、各係止片部２６は、パネルの取付孔７ａに対する係合用として作動する構成である。各係合片部２７は、雄部材側の第１係合部１８と係合して仮組み付け用として作動し、かつ、第２係合部１９と係合して挟持部１０，２０同士を挟持状態に保つ挟持態様維持用として作動する構成である。
【００２６】
（作動及び利点）以上の雌部材２はパネル７に次のように簡単に取り付けられる。このパネル７は、設置部の一例であり、車両であれば、インストルメントパネル、コンソールや室内壁を構成している箇所などが対象となる。パネル７には取付孔７ａが設けられている。取付孔７ａは、後述する雌部材２の座部２５ａが嵌合する矩形となっている。
【００２７】
（ア）取付要領は、図２（ａ）に示されるごとく、まず、雌部材２が取付孔７ａに挿入される。その際は、座部２５ａが取付孔７ａに嵌るよう位置合わせしながら脚部２５である係止片部２６及び係合片部２７を挿通する。その後、雄部材１がその軸部１５を図２（ｂ）に示されるごとく雌部材の孔部２２に挿入すべく下向きに押操作される。すると、雌部材２は、図７（ａ）のごとく雄部材の各第１係合部１８が対応する係合片部２７の爪２７ａを弾性的に通り抜けて係合することで雄部材１を仮組み付けした状態となる。同時に、雌部材２は、図７（ｂ）のごとく軸部１５の周囲部分１５ｂが各係止片部２６の爪２６ａ同士の間を押し広げ、その結果、各係止片部２６が拡径されることで取付孔７ａに係合し抜け止めされる。従って、以上のホルダー６は、パネル７に対してワンタッチ操作により取り付けることができる。
【００２８】
（イ）ホルダー６は、以上のごとくパネル取付孔７ａに雌部材２を各係止片部２６を介して係合し、かつ、雄部材１を各第１係合部１８と係合片部２７との係合を介して仮組み付けした状態から、袋などの被支持物８を挟持することも可能である。すなわち、その場合は、被支持物８の適宜な箇所を図２（ｂ）及び（ｃ）のごとく雌部材２の挟持部２０と雄部材１の挟持部１０との間に配置し、雄部材１を下向きに押操作する。すると、雌部材２は、図８（ａ）のごとく雄部材の各第２係合部１９が対応する係合片部２７の爪２７ａと弾性的に係合することで、被支持物８を挟持部１０，２０同士の間に挟持した状態を保つ挟持維持態様となる。なお、その際は、雌部材２は、図８（ｂ）のごとく軸部１５の周囲部分１５ｂが各係止片部２６の爪２６ａ同士の間を更に押し広げ、その結果、各係止片部２６がより大きく拡径されることで取付孔７ａにより強固に係合し抜け止めされる。
【００２９】
（ウ）被支持物８は、図３（ｂ）のごとく雄部材１が回転操作部１２を介して同図の矢印つまり時計回りの方向へ押されると、一側面１０ａが雌部材側のボス２４に当たって規制されるまで回転される。この回転過程では、挟持解除手段３が作動して、雄部材の各突起１４がカム面２３のうち、最も低い逃げ面２３ａから傾斜面２３ｂに摺動し、最終的に最も高い段差２２ａまで摺動する。すると、雄部材１は、雌部材２に対し逃げ面２３ａと段差２２ａとの高さの差寸法だけ上昇移動され、それにより挟持部１０が挟持部２０から離間する非挟持状態ないしは離間状態となる。その結果、被支持物８は挟持部１０，２０同士の間から移動可能となる。
【００３０】
（エ）また、この構造では、挟持維持態様から非挟持状態ないしは離間状態に切り換える操作において、前記したごとく雄部材１が雌部材２に対し逃げ面２３ａと段差２２ａとの高さの差寸法だけ上昇移動される過程で、各係合片部の爪２７ａが対応する縦リブ１６に当たり付勢力ないしは反力を蓄えながら第２係合部１９から係合解除し、雄部材１の上昇移動を許容する。そして、雄部材１は、回転操作部１２に対する回転用の押し力を解放すると、前記の蓄えられた付勢力ないしは反力により元の位置まで逆転されて、挟持部１０が挟持部２０の真上まで移動する。このため、このホルダー６は、雄部材１が自動的に図２（ｂ）の状態に戻るため、被支持物８をいつでも挟み込むことができる。
【００３１】
（オ）このホルダー６は、以上のようにして、雄部材２が雌部材１に対して仮組み付けした状態から前記の挟持維持態様に切り換える操作、及び挟持維持態様から前記の非挟持状態ないしは離間状態に切り換える操作、何れもが操作し易い雄部材１の挟持部側で行えるため操作性に優れている。しかも、雄部材１が前記したごとく非挟持状態ないしは離間状態に切り換えた後、自動的に図２（ｂ）の状態に戻るため、使い勝手に優れている。
【００３２】
なお、本発明の挟持用ホルダーは、請求項で特定される構成を備えておればよく、細部は以上の形態説明を参考にして色々に変形したり展開可能なものである。
【符号の説明】
【００３３】
１・・・雄部材（１０は挟持部、１５は軸部）
２・・・雌部材（２０は挟持部、２５は脚部）
３・・・挟持解除手段（１４は突起、２３はカム面）
４・・・回転方向規制手段（２１ｃは係止リブ、１１ｂは凸部）
５・・・回転角度規制手段（１０ａは一側部、２４はボス）
６・・・ホルダー
７・・・パネル（設置部、７ａは取付孔）
８・・・袋などの被支持物
１１ａ，１１ｂ・・・凹凸部
１２・・・回転操作部
１８・・・第１係合部
１９・・・第２係合部
２１ａ，２１ｂ・・・凹凸部
２２・・・孔部
２６・・・係止片部（２６ａは爪）
２７・・・係合片部（２７ａは爪）
【図１】
2014119046.tif 000003
【図２】
2014119046.tif 000004
【図３】
2014119046.tif 000005
【図４】
2014119046.tif 000006
【図５】
2014119046.tif 000007
【図６】
2014119046.tif 000008
【図７】
2014119046.tif 000009
【図８】
2014119046.tif 000010